(57)【要約】【課題】天井への取り付け作業中に、ファンが不意に回転し始めるといった作業者が意図しない動作の阻止。【解決手段】ファンおよび該ファンを回転させるモータを有する送風機を備えた空気清浄機（１）において、天井に設けられたシーリングローゼットと電気的に接続されることで電源として機能する電源部を備え、電源部がシーリングローゼットと電気的に接続されたタイミングでファンが通常の回転動作を開始することを阻止する機能として、電源部とモータとを電気的に接続した状態と非接続とした状態との間で切り換える、ユーザが操作可能なスイッチ（８０）を備え、ファンは、電源部とモータとが電気的に接続されると通常の回転動作を開始する。【選択図】図６
2018204865.tif 000002
【特許請求の範囲】
【請求項１】
ファンおよび該ファンを回転させるモータを有する送風機を備えた天井取付型電気機器において、
天井に設けられたシーリングローゼットと電気的に接続されることで電源として機能する電源部を備え、
前記電源部が前記シーリングローゼットと電気的に接続されたタイミングで前記ファンが通常の回転動作を開始することを阻止する阻止部を有することを特徴とする天井取付型電気機器。
【請求項２】
前記阻止部として、前記電源部と前記モータとを電気的に接続した状態と非接続とした状態との間で切り換える、ユーザが操作可能なスイッチを備え、
前記ファンは、前記電源部と前記モータとが電気的に接続されると、通常の回転動作を開始するように設けられていることを特徴とする請求項１に記載の天井取付型電気機器。
【請求項３】
人感センサと、
前記人感センサの検出結果が入力されると共に、前記電源部と予め電気的に接続されている制御部とを備え、
前記ファンは、前記電源部と前記モータとが電気的に接続されると、通常の回転動作を開始するように設けられ、
前記制御部が前記阻止部として機能し、
前記制御部は、前記電源部が前記シーリングローゼットと電気的に接続された後、前記人感センサの検出結果に基づいて人が存在しないと判断すると、前記電源部と前記モータとを電気的に接続することを特徴とする請求項１に記載の天井取付型電気機器。
【請求項４】
前記電源部と予め電気的に接続されている制御部を備え、
前記ファンは、前記電源部と前記モータとが電気的に接続されると、通常の回転動作を開始するように設けられ、
前記制御部が前記阻止部として機能し、
前記制御部は、前記電源部が前記シーリングローゼットと電気的に接続されてから予め定められた第１の一定時間が経過すると、前記電源部と前記モータとを電気的に接続することを特徴とする請求項１に記載の天井取付型電気機器。
【請求項５】
空気清浄機能を備えることを特徴とする請求項１から４の何れか１項に記載の天井取付型電気機器。
【請求項６】
照明装置を備えることを特徴とする請求項１から５の何れか１項に記載の天井取付型電気機器。
【請求項７】
照明装置を備え、
前記制御部は、前記照明装置における光源を、前記人感センサが人の存在を検出すると第１の状態で点灯し、前記第１の状態での点灯中に、前記人感センサが人の存在を検出する度に点灯時間の計測をリセットして、前記第１の状態での点灯時間が予め定められた点灯保持時間を満了すると、前記第１の状態よりも照度を落とした第２の状態で点灯し、前記第２の状態で点灯中に、前記人感センサが人の存在を検出しないまま予め定められた第２の一定時間が経過すると消灯し、前記人感センサが人の存在を検出すると前記第１の状態での点灯に復帰する点灯モードを有し、
前記制御部は、さらに、前記第２の状態での点灯から前記第１の状態での点灯に復帰した回数を計測し、該復帰回数の平均値あるいは最大値に基づいて、前記点灯保持時間を更新する点灯時間更新部を備えることを特徴とする請求項３に記載の天井取付型電気機器。
【発明の詳細な説明】
【技術分野】
【０００１】
本発明は、送風機を備えた天井取付型電気機器に関するもので、より詳細には、送風機を備え、天井に設けられたシーリングローゼットに取り付けられる電気機器に関する。
【背景技術】
【０００２】
従来、家屋の天井に取り付けるシーリングライトが普及している。シーリングライトは、天井に設けられたシーリングローゼットに取り付けられ給電される。また、今日、シーリングローゼットに取り付ける空気清浄機なども開発されている。例えば、特許文献１には、送風機を備えた天井取付型空気清浄機が開示されている。送風機は、ファンとファンを回転させるためのモータとを備える。
【０００３】
このような、天井取付型の電気機器において、シーリングライトの場合、常時通電の電源への接続時、即導通（点灯）する仕様となっている。これは、壁スイッチ等でシーリングローゼットへの通電を入り切りして、シーリングライトを点灯・消灯するためである。
【先行技術文献】
【特許文献】
【０００４】
【特許文献１】特開２０００−１６１７２９号公報
【特許文献２】特開２０１２−１５５９７５号公報
【発明の概要】
【発明が解決しようとする課題】
【０００５】
ところで、特許文献１に記載された天井取付型空気清浄機においても、シーリングライトと同様に、常時通電の電源への接続時に即導通する仕様とすることが考えられる。
【０００６】
しかしながら、その場合、天井に空気清浄機を取り付けている最中に、送風機のファンが急に回り出すといった、作業者が意図していない動作を招いてしまうことがある。これは、壁スイッチ等でシーリングローゼットへの通電を「入り」にしている状態で電気機器を天井に取り付けた場合や、和室などの壁スイッチがそもそも設けられていない場合に起こる。これらの場合、シーリングローゼットから延びる電源コードを電気機器に接続した途端にファンが通常の回転動作を開始する。このような動作は、取り付け作業を行っている作業者が意図した動作ではない。
【０００７】
本発明は、天井への取り付け作業中にファンが不意に通常の回転動作を開始するといった、作業者が意図しない動作を阻止することができる送風機を備えた天井取付型電気機器の提供を目的としている。
【課題を解決するための手段】
【０００８】
上記の課題を解決するために、本発明の一態様に係る送風機を備えた天井取付型電気機器は、ファンおよび該ファンを回転させるモータを有する送風機を備えた天井取付型電気機器において、天井に設けられたシーリングローゼットと電気的に接続されることで電源として機能する電源部を備え、前記電源部が前記シーリングローゼットと電気的に接続されたタイミングで前記ファンが通常の回転動作を開始することを阻止する機能を有することを特徴としている。
【発明の効果】
【０００９】
本発明の一態様によれば、天井取付型電気機器の取り付け作業中にファンが不意に通常の回転動作を開始するといった、作業者が意図しない動作を阻止することができる。
【図面の簡単な説明】
【００１０】
【図１】本発明の実施の形態の送風機を備えた天井取付型電気機器である空気清浄機が部屋の天井に取り付けられた状態を示す斜め下方より見た斜視図である。
【図２】（ａ）は、天井に取り付けられた状態の空気清浄機の側面図、（ｂ）は、天井に取り付けられた状態の空気清浄機の、（ａ）とは異なる位置の側面図である。
【図３】上記空気清浄機における本体支持部材がシーリングローゼットに取り付けられた状態を斜め下方より見た斜視図である。
【図４】上記空気清浄機における本体支持部材と本体部との関係を示しており、本体支持部材および本体部を斜め上方より見た斜視図である。
【図５】上記本体支持部材に本体部を嵌合させ、電源コードを電源接続部に接続した状態を斜め上方より見た斜視図である。
【図６】上記本体部に電源コードカバーを取り付けた状態を斜め上方より見た斜視図である。
【図７】（ａ）は、図２の（ａ）に示した方向から見た上記本体部の内部の構造を、斜め上方から見た斜視図であり、（ｂ）は、図２の（ｂ）に示した方向から見た上記本体部の内部の構造を、斜め下方から見た斜視図である。
【図８】上記本体部における上筐体部を除去した状態を示す平面図である。
【図９】上記空気清浄機における制御系の要部の構成を示すブロック図である。
【図１０】上記空気清浄機における制御系の要部の構成を示すブロック図である。
【図１１】本発明のその他の実施の形態の送風機を備えた天井取付型電気機器である空気清浄機における制御系の要部の構成を示すブロック図である。
【図１２】図１１の制御系を有する空気清浄機の制御部が電源部より初めて給電を受けた場合に実行する、送風機のモータと電源部とを接続する処理の流れを示すフローチャートである。
【図１３】本発明のさらに他の実施の形態の送風機を備えた天井取付型電気機器である空気清浄機における制御系の要部の構成を示すブロック図である。
【図１４】図１３の制御系を有する空気清浄機の制御部が電源部より初めて給電を受けた場合に実行する、送風機のモータと電源部とを接続する処理の流れを示すフローチャートである。
【図１５】本発明のさらに他の実施の形態の送風機を備えた天井取付型電気機器である空気清浄機における制御系の要部の構成を示すブロック図である。
【図１６】図１５の制御系を有する空気清浄機の制御部において実行される点灯保持時間更新処理の流れを示すフローチャートである。
【発明を実施するための形態】
【００１１】
〔実施の形態１〕
本発明の実施の一形態を図面に基づいて以下に説明する。
【００１２】
（空気清浄機１の構成）
図１は、本実施の形態の送風機を備えた天井取付型電気機器である空気清浄機１が部屋の天井に取り付けられた状態を示す斜視図である。図２の（ａ）は、図１に示した状態の空気清浄機１の側面図である。図２の（ｂ）は、図１に示した状態の空気清浄機１の、図２の（ａ）とは異なる位置の側面図である。
【００１３】
図１に示すように、空気清浄機１は、家屋の天井パネル（天井）１１に取り付けられる。空気清浄機１は、図２の（ａ）（ｂ）に示すように、本体支持部材２１および本体部２２を備えている。
【００１４】
図３は、空気清浄機１における本体支持部材２１がシーリングローゼット１２に取り付けられた状態を示しており、下方より見た斜視図である。本体支持部材２１は、図３に示すように、天井パネル１１に設けられた、例えば引掛シーリングローゼットであるシーリングローゼット１２に、ねじ２３により固定される。本体支持部材２１は、例えば金属にて形成され、鍔部２１ａを有するハット型の部材である。本体支持部材２１における中央部には、シーリングローゼット１２の中央の突出部を貫通させる穴が形成されている。鍔部２１ａには、円形の多数の嵌合穴２１ｂが全周に亘って形成されている。
【００１５】
図４は、空気清浄機１における本体支持部材２１と本体部２２との関係を示しており、本体支持部材２１および本体部２２を上方より見た斜視図である。本体部２２は、図４に示すように、上面部の中央位置に、本体支持部材２１と嵌合する支持部材嵌合部３１を有する。支持部材嵌合部３１は、断面Ｚ形状の部材をＵ字形に湾曲させた状態のものであり、本体部２２の上面部に固定されている。支持部材嵌合部３１のＵ字形の両端部間は、横方向に開口しており、該開口側より本体支持部材２１に嵌合される。Ｕ字形の支持部材嵌合部３１の内側に位置するＵ字形の上板部３１ａと本体部２２の上面部との間に、本体支持部材２１の鍔部２１ａが挿入される。上板部３１ａには、下向きに突出した嵌合凸部３１ｂが設けられている。嵌合凸部３１ｂは、本体支持部材２１の鍔部２１ａに形成された嵌合穴２１ｂに嵌合するものである。
【００１６】
また、本体部２２は、図４に示すように、上面部の外周側に、電源接続部３２とスイッチ（阻止部）８０を有する。電源接続部３２には、シーリングローゼット１２（図３参照）より延びる後述する電源コード２５（図５参照）が接続される。本体部２２は、交流電力を直流電力に変換するＡＣ／ＤＣ変換部（図示せず）を備えている。ＡＣ／ＤＣ変換部は後述する電源部８５（図９参照）として機能する。
【００１７】
スイッチ８０は、本体部２２に内蔵された後述する送風機４２のモータ４８（図７の（ａ）（ｂ）参照）と本体部２２に内蔵された電源部８５（図９参照）との接続（導通）、非接続（非導通）を切り換えるものである。スイッチ８０は、作業者（ユーザ）が操作可能であり、モータ４８と電源部８５とを電気的に接続した状態と非接続とした状態との間で切り換える。送風機４２のファン４７（図７の（ａ）（ｂ）参照）は、モータ４８が電源部８５に電気的に接続されると、通常の回転動作を開始するように設けられている。スイッチ８０を「入り」の状態とすることで、モータ４８と電源部８５とが電気的に接続され、ファン４７が通常の回転動作を開始する。スイッチ８０を「切り」の状態とすることで、モータ４８と電源部との電気的な接続が遮断され、ファン４７が停止する。
【００１８】
図５は、本体支持部材２１に本体部２２を嵌合させ、電源コード２５を電源接続部３２に接続した状態を示しており、上方より見た斜視図である。図６は、本体部２２に電源コードカバー２４を取り付けた状態を示しており、上方より見た斜視図である。
【００１９】
本体部２２の支持部材嵌合部３１は、図５に示すように、本体支持部材２１と嵌合する。本体支持部材２１の鍔部２１ａが、支持部材嵌合部３１における上板部３１ａと本体部２２の上面部との間に挿入され、保持される。これにより、本体部２２が本体支持部材２１に支持される。
【００２０】
シーリングローゼット１２より延びる電源コード２５は、本体支持部材２１の下から本体部２２の上面へ引き出されている。電源コード２５の先端部に設けられたコネクタ（図示せず）が、本体部２２の上面部に設けられた電源接続部３２に接続される。接続後、電源コード２５の上には、図６に示すように、電源コード２５を覆うように電源コードカバー２４が取り付けられる。
【００２１】
図７の（ａ）は、図２の（ａ）に示した方向から見た本体部２２の内部の構造を、斜め上方から見た斜視図であり、図７の（ｂ）は、図２の（ｂ）に示した方向から見た本体部２２の内部の構造を、斜め下方から見た斜視図である。図８は、本体部２２における上筐体部４１を除去した状態を示す平面図である。
【００２２】
図７の（ａ）（ｂ）および図８に示すように、本体部２２は、上筐体部４１、送風機４２、送風通路４３、ＨＥＰＡフィルタ(High Efficiency Particulate Air Filter)４４、照明部４５、およびイオン発生素子４６（図８参照）を備えている。
【００２３】
上筐体部４１は、本体部２２の最上部に位置し、本体部２２の内部を上から覆っている。上筐体部４１は、周縁部が下方へ湾曲して傾斜した形状となっている。上筐体部４１には、上記支持部材嵌合部３１が取り付けられている。
【００２４】
送風機４２は、支持部材嵌合部３１すなわちシーリングローゼット１２の真下の位置に配置され、ファン４７およびファン４７を回転させるモータ４８を備えている。これらファン４７およびモータ４８は、鉛直方向において、これらファン４７およびモータ４８の中心が本体部２２の重心とほぼ一致するように、本体部２２の径方向（天井と平行な方向）の中央部に設けられている。
【００２５】
モータ４８は、ＨＥＰＡフィルタ４４の上に設けられ、回転軸４８ａがモータ４８の本体部から上方に向って突出している。ファン４７は、シロッコファンであり、モータ４８の上部およびモータ４８の周りを覆うように、モータ４８の回転軸４８ａに取り付けられている。
【００２６】
ファン４７は、図８に示すように、送風通路４３の内部に設けられている。送風通路４３は、二つの吹出口４３ａを反対方向に有し、ファン４７が回転することにより、それら吹出口４３ａから空気を吹き出すようになっている。
【００２７】
イオン発生素子４６は、送風通路４３の二つの吹出口４３ａの近傍位置にそれぞれ設けられ、イオンを発生し、発生したイオンを吹出口４３ａから吹き出される空気に与える。
【００２８】
ＨＥＰＡフィルタ４４は、集塵フィルタとしての機能を有し、本体部２２の下部に設けられたＨＥＰＡフィルタ保持部材５０の上面に取り付けられている。ＨＥＰＡフィルタ保持部材５０は、例えば、薄板の容器形状を有し、本体部２２に対して着脱自在となっている。また、ＨＥＰＡフィルタ保持部材５０の下には、ＨＥＰＡフィルタ４４の前段にて、埃やゴミを除去するプレフィルタ４９が設けられている。
【００２９】
プレフィルタ４９のさらに下方には、下部カバー部材５２が設けられ、ＨＥＰＡフィルタ保持部材５０と下部カバー部材５２との間が、本体部２２への吸込口６０となっている。下部カバー部材５２は、本体部２２（詳細にはＨＥＰＡフィルタ保持部材５０）に着脱可能に取り付けられている。
【００３０】
照明部４５は、照明基板（光源）５５と照明基板５５を覆う照明カバー５６とを備えている。照明基板５５は、多数のＬＥＤが設けられ、ドーナツ板形状を有している。照明カバー５６は、光透過部材、例えば半透明の樹脂材料にて形成されている。
【００３１】
（空気清浄機１の制御系）
図９は、空気清浄機１における制御系の要部の構成を示すブロック図である。図９に示すように、空気清浄機１は、制御部８１を備える。制御部８１には、モータ４８、ＬＥＤ駆動部８２、スイッチ８０、電源部８５等が接続されている。ＬＥＤ駆動部８２は、照明基板５５に搭載された複数のＬＥＤ８３を駆動するものである。
【００３２】
制御部８１は、ＬＥＤ駆動部８２については、常時、電源部８５と電気的に接続している。これに対し、モータ４８については、スイッチ８０が「入り」の状態である場合に、電気的に接続し、スイッチ８０が「切り」の状態である場合は、電気的に非接続とする。つまり、電源コード２５が電源接続部３２に接続され、電源部８５が給電可能な状態となり、制御部８１自身が電源部８５と接続されても、スイッチ８０が「入り」の状態となるまで、モータ４８への給電はなされない仕様となっている。
【００３３】
（空気清浄機１の取り付け方法）
上記の構成の空気清浄機１の天井への取り付け方法について説明する。
【００３４】
ステップ１：天井パネル１１に設けられているシーリングローゼット１２に対して本体支持部材２１を取り付ける（図３参照）。本体支持部材２１は、ねじ２３によりシーリングローゼット１２に固定する。
【００３５】
ステップ２：本体部２２の上面部に設けられたスイッチ８０が「切り」の状態であることを確認する。
【００３６】
ステップ３：本体部２２を本体支持部材２１に取り付ける。この場合、本体部２２を天井パネル１１の位置まで持ち上げ、本体支持部材２１に向って天井パネル１１の下面と並行に移動させ（図４参照）、本体部２２の支持部材嵌合部３１を本体支持部材２１に嵌合させる（図５参照）。
【００３７】
ステップ４：支持部材嵌合部３１の上板部３１ａの嵌合凸部３１ａ２が、本体支持部材２１の鍔部２１ａの嵌合穴２１ｂに嵌合するように、本体部２２を回転させる。これにより、本体部２２は回転しないように固定される。
【００３８】
ステップ５：シーリングローゼット１２より延び、本体支持部材２１の下から本体部２２の上面部へ引き出されている電源コード２５を、本体部２２の電源接続部３２と接続する（図５参照）。
【００３９】
ステップ６：電源コード２５を覆うように電源コードカバー２４を本体部２２に取り付ける（図６参照）。
【００４０】
ステップ７：最後に、本体部２２の上面部に設けられているスイッチ８０を「入り」の状態とする（図５参照）。
【００４１】
なお、本体支持部材２１からの本体部２２の取り外しは、上述した本体支持部材２１への本体部２２の取り付けと逆の手順にて行うことができる。
【００４２】
（空気清浄機１の利点）
本実施の形態の空気清浄機１においては、本体部２２に、作業者が操作可能な、送風機４２のモータ４８と電源部８５との接続（導通）、非接続（非導通）を切り換えるスイッチ８０を設けている。これによれば、取り付けが完了するまで、スイッチ８０を「切り」の状態としておくことで、電源コード２５を本体部２２の電源接続部３２に接続した途端に、ファン４７が通常の回転動作を開始するといった、作業者が意図していない動作を阻止することができる。電源コード２５を電源接続部３２に接続したタイミングは、電源部８５がシーリングローゼット１２と電気的に接続されたタイミングに相当する。
【００４３】
なお、本実施の形態では、スイッチ８０を本体部２２の上面部に設けたが、設ける位置は上面部に限るものではない。但し、天井に取り付けられた空気清浄機１を下方より見た場合に視認できない位置に設けることが好ましい。
【００４４】
（変形例１）
本実施の形態の変形例を図面に基づいて以下に説明する。変形例の空気清浄機１Ａにおいては、図１０に示すように、スイッチ８０に代えて、差し込まれた状態でモータ４８と電源部８５との電気的な接続を遮断し、引き抜かれることで両者を電気的に接続する遮断シート８６が装着されている。前述したステップ７において、スイッチ８０を「入り」の状態とする代わりに、遮断シート８６を引き抜く。
【００４５】
このような構成では、遮断シート８６を一度引き抜いてしまうと、モータ４８と電源部８５とを再度、非接続な状態にすることはできないが、スイッチ８０を設ける構成よりも安価にて構成できるといったメリットがある。
【００４６】
〔実施の形態２〕
本発明のその他の実施の形態を図面に基づいて以下に説明する。なお、説明の便宜上、前記実施の形態にて説明した部材と同じ機能を有する部材については、同じ符号を付記し、その説明を省略する。
【００４７】
実施の形態１の空気清浄機１（１Ａ）においては、本体部２２に送風機４２のモータ４８と電源部８５との接続（導通）、非接続（非導通）を切り換えるスイッチ８０（遮断シート８６）を設けていた。
【００４８】
本実施の形態の空気清浄機１Ｂ（図１参照）においては、スイッチ８０（遮断シート８６）に代えて、人感センサを利用する。人感センサは、空気清浄機１が設置されている部屋における人の存在を検出するものである。本実施の形態の空気清浄機１は、自動点灯モードを有している。自動点灯モードとは、空気清浄機１Ｂが設置されている部屋において、人感センサが人の存在を検出すると照明部４５を点灯させ、点灯させてから所定時間経過すると自動的に消灯させるモードである。
【００４９】
図１１は、空気清浄機１Ｂにおける制御系の要部の構成を示すブロック図である。図１１示すように、空気清浄機１Ｂにおける制御部（阻止部）８１Ｂには、スイッチ８０に代えて人感センサ８４が接続されている。
【００５０】
図１２は、空気清浄機１Ｂの制御部８１Ｂが電源部８５より初めて給電を受けた場合に実行する、送風機４２のモータ４８と電源部８５とを接続する処理の流れを示すフローチャートである。
【００５１】
電源コード２５が本体部２２の電源接続部３２に接続されることで、電源部８５が給電可能な状態となる。これにより、電源部８５から制御部８１Ｂ、人感センサ８４、ＬＥＤ駆動部８２への給電が開始される。
【００５２】
人感センサ８４は、空気清浄機１Ｂを取り付けている作業者を検出する。制御部８１Ｂは、人感センサ８４の検出に基づいて、人が不在（無人）になったか否かを繰り返し判断している（Ｓ１）。
【００５３】
取り付け作業が終了し、作業者が空気清浄機１Ｂの設置空間から離れると、人感センサ８４は人の存在を検出しなくなる。制御部８１Ｂは、人感センサ８４が人の存在を検出しなくなることで、設置空間には人が不在（無人）であると判断する。制御部８１Ｂは、例えば、人感センサ８４が人の存在を検出した後、予め定められた時間の間、次の検出が成されない場合に、人が不在（無人）になった判断する。
【００５４】
制御部８１Ｂは、人が不在（無人）になった判断すると、送風機４２のモータ４８と電源部８５とを接続する（Ｓ２）。
【００５５】
このような構成とすることで、スイッチ８０を設けることなく、人感センサ８４を利用して、不意にファン４７が通常の回転動作を開始するといった作業者が意図していない動作を阻止することができる。
【００５６】
なお、本実施の形態では、初めて給電を受けた場合に、図１２の処理を行うようにしている。そのため、制御部８１Ｂは、人感センサ８４による検出結果に基づいて、人が存在しないと初めて判断した場合に、送風機４２のモータ４８と電源部８５とを接続している。しかしながら、初めての判断に限定されるものではなく、２回目に人が存在しないと判断した場合に接続する構成であってもよい。
【００５７】
〔実施の形態３〕
本発明のその他の実施の形態を図面に基づいて以下に説明する。なお、説明の便宜上、前記実施の形態にて説明した部材と同じ機能を有する部材については、同じ符号を付記し、その説明を省略する。
【００５８】
実施の形態１、２の空気清浄機１〜１Ｂにおいては、本体部２２に送風機４２のモータ４８と電源部８５との接続（導通）、非接続（非導通）を切り換えるスイッチ８０（遮断シート８６）を設ける、あるいは人感センサ８４を用いていた。
【００５９】
本実施の形態の空気清浄機１Ｃ（図１参照）においては、モータ４８と電源部８５との接続にタイムラグを持たせることで、不意にファンが通常の回転動作を開始するといった作業者が意図していない動作を阻止する。
【００６０】
図１３は、空気清浄機１Ｃにおける制御系の要部の構成を示すブロック図である。図１３示すように、空気清浄機１Ｃにおける制御部８１Ｃには、スイッチ８０も人感センサ８４も接続されていない。
【００６１】
図１４は、空気清浄機１Ｃの制御部８１Ｃが電源部８５より初めて給電を受けた場合に実行する送風機４２のモータ４８と電源部８５とを接続する処理の流れを示すフローチャートである。
【００６２】
電源コード２５が本体部２２の電源接続部３２に接続されることで、電源部８５が給電可能な状態となる。これにより、電源部８５から制御部８１Ｃ、ＬＥＤ駆動部８２への給電が開始される。
【００６３】
制御部８１Ｃは、電源部８５より初めて給電を受けると、タイマを作動させて、自身が電源部８５に接続されてから予め定められた一定時間（第１の一定時間）が経過したか否かを繰り返し判断する（Ｓ１１）。制御部８１Ｃは、一定時間が経過したと判断すると、送風機４２のモータ４８と電源部８５とを接続する（Ｓ２）。
【００６４】
このような構成とすることで、スイッチ８０や人感センサ８４を必要とすることなく、最も安価にて、不意にファン４７が通常の回転動作を開始するといった作業者が意図していない動作を阻止することができる。
【００６５】
一定時間は、電源コード２５を電源接続部３２に接続してから、空気清浄機１Ｃの取り付けを終えて作業者が空気清浄機１Ｃから離れるまでの時間を考慮して、例えば、３０秒、６０秒等に設定される。
【００６６】
なお、本実施の形態では、所定時間経過後に送風機４２のモータ４８と電源部８５とを接続する構成としたが、制御部８１Ｃが、モータ４８の駆動を制御して、上記一定時間経過後にファン４７の回転スピードが通常の回転動作のスピードに到達するように、徐々に回転させる構成としてもよい。
【００６７】
〔実施の形態４〕
本発明のその他の実施の形態を図面に基づいて以下に説明する。なお、説明の便宜上、前記実施形態にて説明した部材と同じ機能を有する部材については、同じ符号を付記し、その説明を省略する。
【００６８】
本実施の形態では、前述した実施の形態１〜３の空気清浄機１〜１Ｃにおいて採用できる、照明部４５の自動点灯モードについて説明する。なお、本実施の形態で説明する自動点灯モードは、送風機４２が搭載されていないシーリングライトにおいても適用できる技術である。
【００６９】
図１５は、本実施の形態の空気清浄機１Ｄ（図１参照）における制御系の要部の構成を示すブロック図である。図１５においては、照明部４５の制御に関わる部分のみを示す。制御部８１Ｄには、人感センサ８４、電源部８５、タイマ部９０、ＬＥＤ駆動部８２が接続されている。
【００７０】
制御部８１Ｄは、人感センサ８４が人の存在を検出すると、ＬＥＤ駆動部８２を用いて、ＬＥＤ８３を全点灯（第１の状態での点灯）する。制御部８１Ｄは、全点灯中、人感センサ８４が人の存在を検出する度に、タイマ部９０の点灯保持時間計測用のカウンタを初期値に戻して計測を開始する（リセットする）。
【００７１】
点灯保持時間Ｔの初期値は、例えば６０秒である。また、ＬＥＤ８３の全点灯とは、通常の照度が得られる点灯のことであり、後述する消灯予告点灯（第２の状態での点灯）と区別するために用いている。つまり、全点灯は、全てのＬＥＤ８３をフルパワーで点灯するという意味ではない。
【００７２】
制御部８１Ｄは、全点灯での点灯時間が予め定められた点灯保持時間Ｔを満了すると、全点灯よりも照度を落とした消灯予告点灯（第２の状態での点灯）する。消灯予告点灯は、もうすぐ消灯されることを予告するための点灯である。消灯予告時間ｔは、例えば７，８秒間である。
【００７３】
制御部８１Ｄは、消灯予告点灯の開始と同時に、タイマ部９０の消灯予告時間計測用のカウンタで計測を開始する。消灯予告点灯中に、人感センサ８４が人の存在を検出しないまま予め定められた消灯予告時間ｔ（第２の一定時間）が経過すると消灯する。一方、人感センサ８４が人の存在を検出すると、全点灯に復帰する。つまり、点灯保持時間計測用のカウンタを初期値に戻して、その時点から点灯保持時間Ｔの計測を開始する。
【００７４】
さらに、制御部８１Ｄは、点灯保持時間Ｔを更新する点灯保持時間更新部８１Ｄ１を備えている。点灯保持時間更新部８１Ｄ１は、全点灯を開始してから消灯するまでを１単位として、消灯予告点灯を行っている期間中に、人の存在が検出されて全点灯に復帰した回数（復帰回数）に相当する延長回数を計測する。そして、点灯保持時間更新部８１Ｄ１は、この復帰回数の平均値あるいは延長回数の最大値が、所定の範囲に収まるように点灯保持時間Ｔを更新する。
【００７５】
図１６は、空気清浄機１Ｄの制御部８１Ｃにおいて実行される点灯保持時間更新処理の流れを示すフローチャートである。人感センサ８４にて人の存在が検知され、消灯していたＬＥＤ８３を全点灯させると、図１６に示す処理を実行する。なお、当該フローチャートにおいては、点灯保持時間Ｔの満了を判断し、消灯予告時間ｔの計測を開始する処理ステップ等の記載を省略している。
【００７６】
制御部８１Ｄ（点灯保持時間更新部８１Ｄ１）は、人感センサ８４にて人の存在が検出されたか否かを繰り返し判断している（Ｓ２１）。制御部８１Ｄは、Ｓ２１にて、人の存在が検出されたと判断すると、消灯予告点灯を行っている消灯予告期間（消灯予告時間ｔ）中であるか否かを判断する（Ｓ２２）。制御部８１Ｄは、Ｓ２２にて、消灯予告期間中であると判断すると、Ｓ２３に進んで、延長回数を計測するカウンタを１加算し、その後Ｓ２１に戻る。一方、Ｓ２２にて、消灯予告期間中ではない（つまり、点灯保持時間中）と判断すると、Ｓ２３を経ることなくＳ２１に戻る。
【００７７】
制御部８１Ｄは、Ｓ２１において、人の存在が検出されていないと判断すると、消灯予告時間ｔが経過したかを判断する（Ｓ２４）。制御部８１Ｄは、Ｓ２４にて、消灯予告時間Ｔを経過したと判断すると、Ｓ２５に進んで、平均延長回数を計算する。
【００７８】
制御部８１Ｄは、平均延長計回数を算出すると、Ｓ２６に進み、平均延長回数が、例えば０．５以上か否かを判断する。ここで、０．５以上であると判断すると、点灯保持時間Ｔを１秒加算し（Ｓ２７）、処理を終了する。一方、Ｓ２６において、平均延長回数が０．５以上ではないと判断すると、２８に進み、平均延長回数が、例えば０．２以下か否かを判断する。ここで、０．２以下であると判断すると、点灯保持時間Ｔを１秒減算し（Ｓ２９）、処理を終了する。
【００７９】
Ｓ２５〜Ｓ２９までの処理を、具体例を挙げて説明する。Ｓ２５においては、例えば、点灯保持時間Ｔを６０秒、平均値をとる点灯回数（全点灯で点灯を開始してから消灯されるまでを点灯１回とカウントする）である平均化個数を１０個とする。
【００８０】
Ｓ２６の判断基準となる０．５は、１０回の点灯のうち５回延長された場合に相当する。１０回の点灯のうち延長が５回以上なされた場合には、Ｓ２７に進んで、点灯保持時間Ｔを１秒加算する。点灯保持時間Ｔが初期値の６０秒である場合は６１秒に更新する。これにより、人が居る状態で消灯予告点灯に入ることが頻出するといった事態を回避することができる。
【００８１】
Ｓ２８の判断基準となる０．２は、１０回の点灯のうち２回延長された場合に相当する。１０回の点灯のうち延長されたのが２回以下の場合には、Ｓ２９に進んで、点灯保持時間Ｔを１秒減算する。点灯保持時間Ｔが初期値の６０秒である場合は５９秒に更新する。これにより、点灯保持時間Ｔが必要以上に長く、人が居ない状態で無駄に点灯しているといった事態を回避することができる。
【００８２】
この例では、１０回の点灯のうち延長回数が３回あるいは４回である場合、点灯保持時間Ｔは適切であると判断している。つまり、制御部８１Ｄは、１０回の点灯のうち延長回数が３〜４回となるように、点灯保持時間Ｔを調整する。これにより、ユーザの利用している状況に合わせて、消灯予告を頻出させずにかつ無駄な点灯時間も少なくなるように自動的に点灯保持時間を更新できる。
【００８３】
なお、平均延長回数に代えて、最大延長回数を求めるようにしてもよい。また、その両方より、よりユーザの利用状況に応じた範囲に調整してもよい。
【００８４】
例えば、最大延長回数に基づいて、点灯保持時間Ｔが適切であるか否かを判断して、点灯保持時間Ｔを更新する場合、１回の点灯で例えば５回以上延長されるなどの通常の状況ではない最大延長回数については、除外することが好ましい。
【００８５】
このような自動点灯モードによる点灯時間更新の技術は、トイレ、浴室、玄関、門扉の外灯、階段の照明などに利用することが効果的である。
【００８６】
ところで、特許文献２には、人感センサが人の存在を検出するたびに照明負荷（ＬＥＤに相当）を全点灯させ、予め決めた点灯保持時間の満了後は少なくとも２段階の消灯をすることで人に消灯の予告をするモードをもつ照明装置が記載されている。
【００８７】
しかしながら、点灯保持時間は一般的な値に固定されている。また、一般的な点灯保持時間を変更するには、点灯保持時間切換スイッチを用意して手動で行う必要があり、手間がかかる。
【００８８】
点灯保持時間が短く消灯予告が頻出する場合に、これを回避すべく、点灯保持時間を変更したとしても、設定できるのは予め用意されている固定値だけなので、どうしても無駄に点灯させている時間が多くなってしまう。
【００８９】
また、点灯保持時間が長く、消灯予告が頻出しない使い方をしている場合にも、ユーザがそのことに気づいて意図的に点灯保持時間を変更しない限りはそのままなので、無駄に点灯させている時間が多くなってしまう。
【００９０】
〔まとめ〕
本発明の態様１に係る送風機を備えた天井取付型電気（空気清浄機１〜１Ｄ）は、ファン４７および該ファン４７を回転させるモータ４８を有する送風機４２を備えた天井取付型電気機器において、天井に設けられたシーリングローゼット１２と電気的に接続されることで電源として機能する電源部８５を備え、前記電源部８５が前記シーリングローゼット１２と電気的に接続されたタイミングで前記ファン４７が通常の回転動作を開始することを阻止する阻止部を有することを特徴としている。
【００９１】
これによれば、電源部８５がシーリングローゼット１２と電気的に接続されたタイミングでファン４７が通常の回転動作を開始することが阻止されるので、当該電気機器を取り付けている最中に、ファン４７が通常の回転動作を開始するといった、作業者が意図していない動作を阻止することができる。
【００９２】
本発明の態様２に係る送風機を備えた天井取付型電気（空気清浄機１）は、さらに、前記阻止部として、前記電源部８５と前記モータ４８とを電気的に接続した状態と非接続とした状態との間で切り換える、ユーザが操作可能なスイッチ８０を備え、前記ファン４７は、前記電源部８５と前記モータ４８とが電気的に接続されると、通常の回転動作を開始するように設けられている構成とすることもできる。
【００９３】
これによれば、当該電機機器の取り付けが完了するまで、スイッチ８０を「切り」の状態としておくことで、不意にファン４７が通常の回転動作を開始するといった、作業者が意図していない動作を阻止することができる。
【００９４】
本発明の態様３に係る送風機を備えた天井取付型電気（空気清浄機１Ｂ）は、さらに、人感センサ８４と、前記人感センサ８４の検出結果が入力されると共に、前記電源部８５と予め電気的に接続されている制御部８１Ｂとを備え、前記ファン４７は、前記電源部８５と前記モータ４８とが電気的に接続されると、通常の回転動作を開始するように設けられ、前記制御部８１Ｂが前記阻止部として機能し、前記制御部８１Ｂは、前記電源部８５が前記シーリングローゼット１２と電気的に接続された後、前記人感センサ８４の検出結果に基づいて存在しないと判断すると、前記電源部８５と前記モータ４８とを電気的に接続する構成とすることもできる。
【００９５】
これによれば、スイッチ８０を設けることなく、人感センサ８４を利用して、不意にファン４７が通常の回転動作を開始するといった作業者が意図していない動作を阻止することができる。
【００９６】
本発明の態様４に係る送風機を備えた天井取付型電気（空気清浄機１Ｃ）は、さらに、前記電源部８５と予め電気的に接続されている制御部８１Ｃを備え、前記ファン４７は、前記電源部８５と前記モータ４８とが電気的に接続されると、通常の回転動作を開始するように設けられ、前記制御部８１Ｃが前記阻止部として機能し、前記制御部８１Ｃは、前記電源部８５が前記シーリングローゼット１２と電気的に接続されてから予め定められた第１の一定時間が経過すると、前記電源部８５と前記モータ４８とを電気的に接続する構成とすることもできる。
【００９７】
これによれば、スイッチ８０や人感センサ８４を必要とすることなく、最も安価にて、不意にファン４７が通常の回転動作を開始するといった作業者が意図していない動作を阻止することができる。
【００９８】
本発明の態様５に係る送風機を備えた天井取付型電気（空気清浄機１〜１Ｃ）は、空気清浄機能を備える構成とすることもでき、空気清浄効果が得られる。
【００９９】
本発明の態様６に係る送風機を備えた天井取付型電気（空気清浄機１〜１Ｃ）は、照明装置（照明部４５）を備える構成とすることもでき、照明装置としても利用できる。
【０１００】
本発明の態様７に係る送風機を備えた天井取付型電気（空気清浄機１Ｄ）は、照明装置（照明部４５）を備え、前記制御部８１Ｄは、前記照明装置における光源を、前記人感センサが人の存在を検出すると第１の状態で点灯し、前記第１の状態での点灯中に、前記人感センサが人の存在を検出する度に点灯時間の計測をリセットして、前記第１の状態での点灯時間が予め定められた点灯保持時間を満了すると、前記第１の状態よりも照度を落とした第２の状態で点灯し、前記第２の状態で点灯中に、前記人感センサが人の存在を検出しないまま予め定められた前記第２の一定時間が経過すると消灯し、前記人感センサが人の存在を検出すると前記第１の状態での点灯に復帰する点灯モードを有し、前記制御部８１Ｄは、さらに、前記第２の状態での点灯から前記第１の状態での点灯に復帰した回数を計測し、該復帰回数の平均値あるいは最大値に基づいて、前記点灯保持時間を更新する点灯時間更新部を備える構成とすることもできる。
【０１０１】
これにより、消灯予告を頻出させずにかつ無駄な点灯時間も少なくなるように自動的に点灯保持時間を更新でき、点灯保持時間を変更する手間もかからない。
【０１０２】
本発明は上述した各実施の形態に限定されるものではなく、請求項に示した範囲で種々の変更が可能であり、異なる実施の形態にそれぞれ開示された技術的手段を適宜組み合わせて得られる実施の形態についても本発明の技術的範囲に含まれる。さらに、各実施の形態にそれぞれ開示された技術的手段を組み合わせることにより、新しい技術的特徴を形成することができる。
【符号の説明】
【０１０３】
１、１Ａ、１Ｂ、１Ｃ、１Ｄ  空気清浄機（送風機を備えた天井取付型電気機器）
１１  天井パネル
１２  シーリングローゼット
２１  本体支持部材
２２  本体部
２５  電源コード
３２  電源接続部
４２  送風機
４５  照明部
４６  イオン発生素子
４７  ファン
４８  モータ
８０  スイッチ（阻止部）
８１、８１Ｂ、８１Ｃ  制御部（阻止部）
８１Ｄ  制御部  
８１Ｄ１  点灯保持時間更新部
８２  ＬＥＤ駆動部
８３  ＬＥＤ
８４、人感センサ
８５  電源部
８６  遮断シート（阻止部）
９０  タイマ部
【図１】
2018204865.tif 000003
【図２】
2018204865.tif 000004
【図３】
2018204865.tif 000005
【図４】
2018204865.tif 000006
【図５】
2018204865.tif 000007
【図６】
2018204865.tif 000008
【図７】
2018204865.tif 000009
【図８】
2018204865.tif 000010
【図９】
2018204865.tif 000011
【図１０】
2018204865.tif 000012
【図１１】
2018204865.tif 000013
【図１２】
2018204865.tif 000014
【図１３】
2018204865.tif 000015
【図１４】
2018204865.tif 000016
【図１５】
2018204865.tif 000017
【図１６】
2018204865.tif 000018